(57)【特許請求の範囲】
【請求項１】
上流端に吸込口を有し下流端に吹出口を有する風洞と、
前記風洞内に配置されるファンと、
前記風洞の内周側において前記吹出口の近傍に配置され、絞り部と前記絞り部から上流側に向けて拡径し上流側からの風を絞り部に案内する案内部とを少なくとも有する噴射ノズルと、
少なくとも一部が前記噴射ノズルの案内部内に配置された加湿手段と、
を備えて構成され、
前記風洞内を、ヒータが配置される温風通路とヒータが配置されない冷風通路とを仕切る仕切部を備えて構成され、前記冷風通路の出口部に前記噴射ノズルおよび前記加湿手段とが配置されたことを特徴とする髪ケア装置。
【請求項２】
請求項１に記載の髪ケア装置であって、
前記噴射ノズルは、前記絞り部から下流側に向けて拡径する拡散部を備えることを特徴とする髪ケア装置。
【請求項３】
請求項１または２に記載の髪ケア装置であって、
前記加湿手段は、水分を保水可能な保水部材で構成され、
前記保水部材に対して、貯留した水分を供給可能な液体タンクを、さらに備えることを特徴とする髪ケア装置。
【請求項４】
請求項１または２に記載の髪ケア装置であって、
前記加湿手段は、水分を保水可能な保水部材で構成され、
放熱面および冷却面を有する電子冷却素子としてのペルチェ素子をさらに備え、
前記ペルチェ素子の冷却面に結露する水分が前記保水部材に供給されるように設けられていることを特徴とする髪ケア装置。
【発明の詳細な説明】
【技術分野】
【０００１】
本発明は、髪ケア装置に関する。
【背景技術】
【０００２】
従来の髪ケア装置としては、上流端に吸込口を有し且つ下流端に吹出口を有する風洞と、前記風洞内に配置されたファンと、前記風洞内に配置されたヒータと、を備えるヘアドライヤーが知られている。特許文献１のヘアドライヤーは、風洞の下流端の吹出口の近傍に、送風（温風または冷風）を加湿するための保水性を有する加湿材が配置されている。そのため、吹出口からの送風を加湿して、髪に潤いを与えることができる。
【特許文献１】実開昭６２−１９９００３公報
【発明の開示】
【発明が解決しようとする課題】
【０００３】
本願発明者はこのような従来の髪ケア装置に基づき、いかに効率的に加湿した空気を毛髪に供給できるかということに着目し、加湿された空気を効率的に毛髪に供給できる髪ケア装置に想到した。
【課題を解決するための手段】
【０００４】
請求項１に記載の発明は、髪ケア装置であって、上流端に吸込口を有し下流端に吹出口を有する風洞と、前記風洞内に配置されるファンと、前記風洞の内周側において前記吹出口の近傍に配置され、絞り部と前記絞り部から上流側に向けて拡径し上流側からの風を絞り部に案内する案内部とを少なくとも有する噴射ノズルと、少なくとも一部が前記噴射ノズルの案内部内に配置された加湿手段と、を備えて構成され、前記風洞内を、ヒータが配置される温風通路とヒータが配置されない冷風通路とを仕切る仕切部を備えて構成され、前記冷風通路の出口部に前記噴射ノズルおよび前記加湿手段とが配置されたことを特徴とするものである。
【０００５】
請求項２に記載の発明は、請求項１に記載の髪ケア装置であって、前記噴射ノズルは、前記絞り部から下流側に向けて拡径する拡散部を備えることを特徴とするものである。
【０００６】
請求項３に記載の発明は、請求項１または２に記載の髪ケア装置であって、前記加湿手段は、水分を保水可能な保水部材で構成され、前記保水部材に対して、貯留した水分を供給可能な液体タンクを、さらに備えることを特徴とするものである。
【０００７】
請求項４に記載の発明は、請求項１または２に記載の髪ケア装置であって、前記加湿手段は、水分を保水可能な保水部材で構成され、放熱面および冷却面を有する電子冷却素子としてのペルチェ素子をさらに備え、前記ペルチェ素子の冷却面に結露する水分が前記保水部材に供給されるように設けられていることを特徴とするものである。
【発明の効果】
【０００８】
請求項１に記載の発明によれば、吹き出される空気が加湿手段により加湿されているため、髪に潤いを与えることができる。また、噴射ノズルの案内部内に加湿手段が配置されているため、噴射ノズルから風速の高くなった加湿空気を送風でき、これにより、毛髪に対する水分補給が効率的に行われることとなる。さらに、噴射ノズル専用の通路を設けた構造により、より高速の加湿空気を吹き出すことも可能になる。
【０００９】
請求項２に記載の発明によれば、請求項１の発明の効果に加えて、噴射ノズルが拡散部をさらに備えるため、風速の高い加湿空気を比較的広範囲に供給することができる。
【００１０】
請求項３に記載の発明によれば、請求項１または２の発明の効果に加え、液体タンクから、加湿手段としての保水部材に水分を供給できるため、加湿手段の水分量を長時間にわたって保つことができる。
【００１１】
請求項４に記載の発明によれば、請求項１または２の発明の効果に加え、加湿手段としての保水部材に対して、ペルチェ素子の冷却面に結露する水分を供給できるため、加湿手段の水分量を長時間にわたって保つことができる。
【００１２】
なお、加湿手段は、保水部材を利用せずに、冷却面に風洞内の風が当たるように配置されたペルチェ素子によって構成されていてもよい。
【発明を実施するための最良の形態】
【００１３】
以下、本発明の実施形態を図面を参照しつつ説明する。
【００１４】
（第１実施形態）図１は本発明の第１実施形態にかかる髪ケア装置としてのヘアドライヤーを示す。図１は第１実施形態のヘアドライヤーの断面図である。
【００１５】
（構成）
本実施形態のドライヤー１は、温風発生ユニット２と、温風発生ユニット２の吹出口３ｃに着脱自在に取り付けられた筒状のアタッチメント（フード）１１と、当該温風発生ユニット２に固定的または回転自在に取り付けられたグリップ部１３と、を備えて構成されている。
【００１６】
温風発生ユニット２は、内部に風洞を形成する略円筒状の風洞ケース３内に、ファンユニット５およびヒータユニット７が配置された構成をなしている。このとき、ファンユニット５が上流、ヒータユニット７が下流に配置されている。
【００１７】
風洞ケース３は、風洞の上流端に吸込口３ｂを備え、風洞の下流端に吹出口３ｃを備えて構成されている。
【００１８】
ファンユニット５は、風洞ケース３の内側に固定される円筒状のファンケース５ｃと、ファンケース５ｃ内に支持されたファンモータ５ｍと、ファンケース５ｃ内においてファンモータ５ｍより上流側に配置されファンモータ５ｍによって回転駆動するファン５ｆと、を備えて構成されている。
【００１９】
ヒータユニット７は、ファンユニット５から供給される送風を加熱するものであり、例えば雲母等の耐熱板を断面十字状に組み合わせて構成されるヒータ固定部７ａと、このヒータ固定部７ａの外周に螺旋状に巻回された例えばニクロム線などの電熱線からなるヒータ７ｂと、を備えて構成されている。
【００２０】
ヒータ７ｂの外周は、断熱部材で形成された筒状のヒータケース９で覆われており、これによりヒータユニット７の熱が風洞ケース３に影響を及ぼすことを回避している。
【００２１】
ドライヤー１のグリップ部１３には、ファンユニット５およびヒータユニット７のＯＮ／ＯＦＦを操作する図示せぬスイッチが設けられている。スイッチはファンユニット５およびヒータユニット７をＯＮするかまたはファンユニット５のみをＯＮすることができ、ファンユニット５およびヒータユニット７をＯＮすると、吹出口３ｃから温風が吹出口３ｃから吹き出され、スイッチによってファンユニット５のみをＯＮすると、吹出口３ｃから冷風が吹き出される。なお、スイッチには、ファンモータ５ｍの回転数（ファン５ｆの送風量）を調整する切換え機能や、ヒータ７ｂへの供給電流値（電熱線の発熱量）を調整する切換え機能を付加してもよい。
【００２２】
そして、本実施形態では、風洞内において風洞の吹出口３ｃの近傍に噴射ノズル３５が設けられている。噴射ノズル３５は、径が絞り込まれた絞り部３５ａと、この絞り部３５ａから上流側に向けて拡径する略テーパ状の案内部３５ｂと、を備えて構成されている。噴射ノズル３５の案内部３５ｂの上流側には加湿手段としての保水部材１５が配置されており、この保水部材１５の少なくとも一部が案内部３５ｂ内に配置されている。なお、保水部材１５は、液体を保水可能な繊維や多孔質のセラミックなどで構成される。また、噴射ノズル３５は、風洞ケース３またはヒータケース９にリブなどの支持部によって支持され、保水部材１５は風洞ケース３またはヒータケース９または噴射ノズル３５にリブなどの支持部によって支持される。
【００２３】
このような構造のヘアドライヤー１によれば、ファンユニット５およびヒータユニット７をＯＮすると、ファンユニット５によって吸込口３ｂから風洞内に空気が吸い込まれ、吸い込まれた空気はヒータユニット７で加熱されて熱風となって風洞ケース３の吹出口３ｃから吹き出される。このとき、風洞の吹出口３ｃから吹き出される空気の一部は、保水部材１５によって加湿されたのち噴射ノズル３５を通過して高速となって、毛髪に吹き付けられることとなる。
【００２４】
このように本実施形態のヘアドライヤー１によれば、噴射ノズル３５から高速の加湿空気を吹き出されるため、毛髪に対する水分補給が効率的に行われることとなる。
【００２５】
また本実施形態では、加湿手段１５が保水部材１５で構成されているため、加湿手段の構造が簡素な構造となり、また加湿手段を安価に製造することができるとともに、取り替えが容易となる。
【００２６】
次に、変形例および他の実施形態について説明する。なお、以下の説明において既に説明した構成については同一符号を付して、重複する説明を省略する。
【００２７】
（変形例）
図２は第１実施形態の変形例である。上述の第１実施形態では、噴射ノズル３５および保水部材１５が風洞ケース３に直接または間接的に固定されていたが、図２の変形例では噴射ノズル３５および保水部材１５が、風洞ケース３の吹出口３ｃに取り付けられるアタッチメント（フード）１１に固定されている点で異なっている。固定方法としては、噴射ノズル３５は、アタッチメント１１にリブなどの支持部によって支持され、保水部材１５はアタッチメント１１または噴射ノズル３５にリブなどの支持部によって支持される。
【００２８】
このような変形例によれば、上述の第１実施形態の効果に加え、加湿性能を備えない既存のヘアドライヤー１に対してアタッチメント１１を交換するのみで、加湿性能を有するヘアドライヤー１とすることができる。
【００２９】
（第２実施形態）
図３は第２実施形態の髪ケア装置としてのヘアドライヤー１を示すものである。本実施形態のヘアドライヤー１は、風洞内を、ヒータ７ｂが配置される温風通路３９とヒータ７ｂが配置されない冷風通路４１とを仕切る仕切部３７を備えて構成され、冷風通路４１の出口部に噴射ノズル３５および加湿手段としての保水部材１５が配置された構造である。
【００３０】
このような第２実施形態によれば、噴射ノズル３５専用の通路４１を設けた構造により、より高速の加湿空気を吹き出すことも可能になる。
【００３１】
（第３実施形態）
図４は第３実施形態の髪ケア装置としてのヘアドライヤー１を示すものである。本実施形態のヘアドライヤー１は、噴射ノズル３５が絞り部３５ａから下流側に向けて拡径する拡散部３５ｃをさらに備える点で第１実施形態と異なる。このような第３実施形態のヘアドライヤー１によれば、第１実施形態の効果に加え、風速の高い加湿空気を比較的広範囲に吹き付けることができる利点がある。
【００３２】
（変形例）
図５は第３実施形態の変形例である。この第３実施形態の変形例は、第１実施形態の変形例と同様に、噴射ノズル３５および保水部材１５が、アタッチメント１１に固定されたものである。そのため、このような変形例によれば、第１実施形態の変形例と同様に、加湿性能を備えない既存のヘアドライヤー１に対してアタッチメント１１を交換するのみで、加湿性能を有するヘアドライヤー１とすることができる。
【００３３】
（第４実施形態）
図６は第４実施形態の髪ケア装置としてのヘアドライヤー１を示す図である。
【００３４】
第１〜第３実施形態では、スポイト等により保水部材１５に水分を補充することができるが、第４実施形態においては、保水部材１５への液体供給手段を備える構造である。
【００３５】
液体供給手段は、液体タンク２５と、液体タンク２５と連通するキャピラリーチューブ（毛細管）２６と、を備えて構成されている。キャピラリーチューブ２６の出口は、保水部材１５の表面に付設されるか保水部材１５内に埋設され、これにより、保水部材１５が潤うようになっている。液体タンク２５は注水部２７を備えており、この注水部２７は、風洞ケース３の周壁に設けられた開口を通じて風洞ケース３外に露出しており、この注水部２７が栓２９で開閉できるようになっている。
【００３６】
このような第４実施形態によれば、加湿手段を構成する保水部材１５に対して、液体タンク２５から水分を供給するとができるため、保水部材１５に対する水分補給作業の頻度を低減させることができる。また、液体タンク２５がない構造に比べ、長時間に亘って加湿性能を発揮することができ、商用的な長時間使用にも好適である。
【００３７】
（第５実施形態）
図７は第５実施形態の髪ケア装置としてのヘアドライヤー１を示す図である。
【００３８】
第５実施形態においては、保水部材１５への液体供給手段の構成が、第４実施形態と異なる。すなわち本実施形態の液体供給手段は、電子冷却素子としてのペルチェ素子３１で構成されている。
【００３９】
ペルチェ素子３１は、通電することで放熱面３１ｂから熱を放熱するとともに冷却面３１ａが冷却されるものであり、この冷却面３１ａに結露する水分を保水部材１５に供給できるようになっている。放熱面３１ｂは冷却性能を高めるために放熱フィン３３を備えて構成され、一方、水分が結露する冷却面３１ａには、他端が保水部材１５に接続されたキャピラリーチューブ２６が接続されており、これにより結露した水分が保水部材１５に供給されるようになっている。例えば、ヘアドライヤー１の不使用時に、内部充電池などによりペルチェ素子３１に通電することにより、保水部材１５を潤わせることができる。なお、ペルチェ素子３１の放熱面および放熱面３１ｂに一体に設けられた放熱フィン３３に対応する位置には、風洞ケース３の周壁に開口が形成されており、ペルチェ素子３１の放熱性が確保されている。
【００４０】
このような第５実施形態によれば、第４実施形態と同様に、保水部材１５への液体供給手段３１をさらに備える構造であるため、保水部材１５に対して、水分補給作業が不要となる。
【００４１】
（変形例）
なお、変形例として、加湿手段を、保水部材を備えずに、ペルチェ素子３１として構成してもよい。つまり、ペルチェ素子３１の冷却面３１ａに対して前記風洞内の風が当たるように当該ペルチェ素子３１を配置することで、ペルチェ素子３１の冷却面３１ａに結露する水分によって、空気を加湿できる。
【００４２】
（第６実施形態）
図８〜図１０は第６実施形態の髪ケア装置を示す図である。
【００４３】
本実施形態の髪ケア装置はヘアアイロンである点で、第１〜第５実施形態と異なる。
【００４４】
ヘアアイロン１００は、図８、９に示すように、互いに回転自在に装着されて狭持自在に設けられた一対の胴部１０１、１０３と、前記一対の胴部１０１、１０３の狭持面において髪を挟み込んで加熱する一対のアイロン板１０１ｂ、１０３ｂと、少なくとも一方のアイロン板１０１ｂ、１０３ｂを加熱する図示せぬヒータと、備えて構成されている。
【００４５】
一対の胴部１０１、１０３の少なくとも一方（この例では胴部１０１）には、図１０に示すように、内部に第１実施形態の温風発生ユニット２が配置されており、また胴部１０１の周壁には、当該温風発生ユニット２から吹き出される温風を胴部１０１の外部に吹き出す吹出口１０５が設けられている。胴部の吹出口１０５は、アイロン板１０１ｂの近傍に設けられている。
【００４６】
そのため、このようなヘアアイロン１００によれば、一対の胴部１０１、１０３に巻き取った髪に対して加湿された風（温風または冷風）を吹き出すことができ、髪にウエーブをかけたり癖毛を直したりしながら、髪に潤いを与えることができる。
【００４７】
このとき、吹き出される加湿空気は、噴射ノズル３５で加速されるため、第１実施形態と同様に、毛髪に対する水分補給が効率的に行われることとなる。
【００４８】
（第７〜９実施形態）
図１１〜図１３は、第７〜第９実施形態のヘアアイロン１００を示す図である。
【００４９】
図１１の第７実施形態のヘアアイロン１００は第３実施形態の温風発生ユニット２を内蔵し、図１２の第８実施形態のヘアアイロン１００は第４実施形態の温風発生ユニット２を内蔵し、図１３の第９実施形態のヘアアイロン１００は第５実施形態の温風発生ユニット２を内蔵している点で、第５実施形態と同様である。これにより、いずれの実施形態においても上述の実施形態と同様の作用効果を得ることができる。
【００５０】
なお本発明の髪ケア装置は上述の実施形態に例をとって説明したが、これら実施形態に限定解釈されるべきではなく本発明の要旨を逸脱しない範囲で他の実施形態を採用することができる。例えば、ヘアドライヤー、ヘアアイロンに限ることなく、ヘアーブラシやその他の髪ケア装置にあっても本発明を適用することができる。
【図面の簡単な説明】
【００５１】
【図１】図１は本発明の第１実施形態の髪ケア装置としてのヘアドライヤーを示す断面図。
【図２】図２は第１実施形態のヘアドライヤーの変形例を示す要部断面図。
【図３】図３は第２実施形態の髪ケア装置としてのヘアドライヤーを示す断面図。
【図４】図４は第３実施形態の髪ケア装置としてのヘアドライヤーを示す断面図。
【図５】図５は第３実施形態のヘアドライヤーーの変形例を示す要部断面図。
【図６】図６は第４実施形態の髪ケア装置としてのヘアドライヤーを示す断面図。
【図７】図７は第５実施形態の髪ケア装置としてのヘアドライヤーを示す断面図。
【図８】図８は第６実施形態の髪ケア装置としてのヘアアイロンを示す断面図。
【図９】図９は同ヘアアイロンを示す側面図。
【図１０】図１０は図９中のＸ−Ｘ断面図。
【図１１】図１１は第７実施形態の髪ケア装置としてのヘアアイロンを示す断面図。
【図１２】図１２は第８実施形態の髪ケア装置としてのヘアアイロンを示す断面図
【図１３】図１３は第９実施形態の髪ケア装置としてのヘアアイロンを示す断面図。
【符号の説明】
【００５２】
１…ヘアドライヤー（髪ケア装置）
２…温風発生ユニット
３…風洞ケース
３ｂ…吸込口
３ｃ…吹出口
５…ファンユニット
５ｃ…ファンケース
５ｆ…ファン
５ｍ…ファンモータ
７…ヒータユニット
７ａ…ヒータ固定部
７ｂ…ヒータ
９…ヒータケース
１１…アタッチメント
１３…グリップ部
１５…保水部材（加湿手段）
２５…液体タンク（液体供給手段）
２６…キャピラリーチューブ
２７…注水部
２９…栓
３１…ペルチェ素子（液体供給手段）
３１ａ…冷却面
３１ｂ…放熱面
３３…放熱フィン
３５…噴射ノズル
３５ａ…絞り部
３５ｂ…案内部
３７…仕切部
３９…温風通路
４１…冷風通路
１００…ヘアアイロン（髪ケア装置）
１０１…胴部
１０１ｂ…アイロン板
１０５…吹出口
【図１】
0004877194.tif 000002
【図２】
0004877194.tif 000003
【図３】
0004877194.tif 000004
【図４】
0004877194.tif 000005
【図５】
0004877194.tif 000006
【図６】
0004877194.tif 000007
【図７】
0004877194.tif 000008
【図８】
0004877194.tif 000009
【図９】
0004877194.tif 000010
【図１０】
0004877194.tif 000011
【図１１】
0004877194.tif 000012
【図１２】
0004877194.tif 000013
【図１３】
0004877194.tif 000014